(57)【要約】【課題】操作性を損なうことなく不正な解錠を防止し得るサムターンユニットを合理的に構成する。【解決手段】錠ケースに対して着脱自在にサムターンユニットＴを支持すると共に、このサムターンユニットＴを、バネ４８の付勢力によって中立位置Ｎに保持されるサムターン４１と、このサムターン４１を押し込み操作した場合に伝動状態に達するクラッチ機構Ａと、このクラッチ機構Ａが伝動状態にある場合にサムターン４１からの回転力を、テールピース４３を介して錠ケースのデッドボルトに伝えて施錠・解錠を実現する嵌合式の連係手段とを備えて構成した。【選択図】        図５
2004204596.tif 000002
【特許請求の範囲】
【請求項１】
錠ケースに支持され、かつ、回転操作により前記錠ケースに備えられたデッドボルトの突出と引退との切り換えを行うよう連係手段を介して連係されるサムターンを備えているサムターンユニットであって、
前記サムターンが、中立位置を基準にして回転軸芯に沿う方向に押し込み操作自在、又は、中立位置を基準にして回転軸芯に沿う方向に引き出し操作自在に支持されると共に、このサムターンが中立位置にある状態では回転操作力を伝えず、この中立位置から押し込み操作した場合、又は、引き出し操作した場合に回転動力を伝えるクラッチ機構を備えているサムターンユニット。
【請求項２】
該サムターンユニットが前記サムターンを回転軸芯に沿う方向に移動自在に支持し、かつ、前記クラッチ機構を内蔵したユニット本体を有して成り、前記連係手段が前記デッドボルトの突出と引退との切り換えを行う被回転操作軸を備えて構成され、前記クラッチ機構の反サムターン側の伝動軸を前記被回転操作軸に対して嵌合連結自在な形状に成形してある請求項１記載のサムターンユニット。
【請求項３】
前記サムターンが中立位置にある場合には、前記サムターンの回転を阻止し、前記サムターンが前記クラッチ機構の連結位置まで操作された場合には、前記サムターンの回転を許すストッパーを備えている請求項１又は２記載のサムターンユニット。
【請求項４】
前記サムターンの押し込み操作で前記クラッチ機構を連結状態に設定するよう該サムターンユニットが構成されると共に、前記サムターンと、このサムターンを支持する支持ブロックとの間の空間に挿入してサムターンの押し込み操作を規制する規制状態と、サムターンと支持ブロックとの間の空間から分離する分離状態とに設定変更自在な規制具を備えている請求項１〜３のいずれか１項に記載のサムターンユニット。
【請求項５】
前記規制具が、前記サムターンの通過を許す開口を有し、かつ、前記サムターンと支持ブロックとの間の空間に挿入した際に前記クラッチ機構の連結位置への操作を規制する厚みを有するリング状部材と、このリング状部材の開口の中心側に向けて突出付勢された脱落防止片とを備えている請求項４記載のサムターンユニット。
【請求項６】
錠ケースに支持され、かつ、回転操作により前記錠ケースに備えられたデッドボルトの突出と引退との切り換えを行うよう連係手段を介して連係されるサムターンを有すると共に、このサムターンが支持ブロックに対して、中立位置から回転軸芯に沿う方向に押し込み操作自在に支持され、かつ、このサムターンが中立位置にある状態では回転操作力を伝えず、この中立位置から押し込み操作した場合に回転動力を伝えるクラッチ機構を有してサムターンユニットが構成され、
前記サムターンが中立位置にある状態で、このサムターンと前記支持ブロックとの間の空間に挿入してサムターンの押し込み操作を規制する規制状態と、サムターン支持ブロックとの間から離間する分離状態とに設定変更自在に構成されているサムターンユニットの規制具。
【発明の詳細な説明】
【０００１】
【発明の属する技術分野】
本発明は、錠ケースに支持され、かつ、回転操作により前記錠ケースに備えられたデッドボルトの突出と引退との切り換えを行うよう連係手段を介して連係されるサムターンを備えているサムターンユニット及びその規制具に関する。
【０００２】
【従来の技術】
本発明に関連する従来の技術としてサムターンを備えた扉錠を例に挙げると、錠前ケースの室外側にシリンダを備え、該錠前ケースの室内側にサムターンを備え、シリンダに挿入したキーからの操作力、あるいは、サムターンに対する人為操作力によって錠前ケースに備えたデッドボルトの突出、及び、引退を行うよう構成したものが存在する。（例えば、特許文献１参照）。
又、本発明の関連する従来の技術として、サムターンの摘み部の不正な操作を防止するために、サムターンの摘み部に備えた伝達解除ネジ、又は、伝達解除ピンを操作することによってコア部材を錠箱（本発明の錠ケース）の入力部から離間させ、摘み部の回転操作による解錠を不能にするよう構成したものもある（例えば、特許文献２参照）。
【０００３】
【特許文献１】
特開平７‐１１３３６６号公報  （段落番号〔００２４〕〜〔００６２〕、図２、図３）
【特許文献２】
特開２００１‐２９５５１５号公報  （段落番号〔００１３〕〜〔００３５〕、図１、図２）
【０００４】
【発明が解決しようとする課題】
従来からの錠前は、特許文献１にも記載されるように、屋内側からサムターンの操作によって簡単に解錠を行える構造であるので、扉に形成された郵便物受け用の開口から針金や棒を挿入することや、扉の一部を破壊して針金や棒を挿入してサムターンを操作し解錠を行う犯罪も発生している。この種の犯罪を防止する観点から、特許文献２に記載されるように、サムターンの不正な操作を防止する技術も提案されているのである。
【０００５】
この種の犯罪を防止する観点から、サムターンの回転を阻止するロック機構を備えることや、特許文献２に記載されるもののようにサムターンの回転操作力を遮断する構造を採用することも考えられる。サムターンは本来、室内側から簡便な操作で解錠を行えるようにするために備えられたものである。従って、特許文献２のようにサムターンを操作して施錠を行った後に、このサムターンによる解錠を不能にするためにロック操作等の特別な操作を必要とするものでは、この操作に手間が掛かるばかりでなく、この解錠を不能にする操作を行った後においてサムターンによる解錠を必要とする際にも特別の操作を必要とするため、手間が掛かり不便となる点において改善が望まれていたのである。
【０００６】
又、サムターンの不正な操作による解錠を防止するためにサムターンを改良すること等を考えた場合、既存の錠前の全てを交換するものでは、手間やコストが掛かり過ぎるものとなり、錠前の全てを交換することなく、サムターンの不正な操作による解錠を防止し得る技術も求められている。
【０００７】
本発明の目的は、操作性を損なうことなく、不正な解錠を防止し得るサムターンユニットを合理的に構成する点にある。
【０００８】
【課題を解決するための手段】
本発明の請求項１に係るサムターンユニットの特徴、作用・効果は次の通りである。
〔特徴〕
錠ケースに支持され、かつ、回転操作により前記錠ケースに備えられたデッドボルトの突出と引退との切り換えを行うよう連係手段を介して連係されるサムターンを備えているサムターンユニットにおいて、前記サムターンが、中立位置を基準にして回転軸芯に沿う方向に押し込み操作自在、又は、中立位置を基準にして回転軸芯に沿う方向に引き出し操作自在に支持されると共に、このサムターンが中立位置にある状態では回転操作力を伝えず、この中立位置から押し込み操作した場合、又は、引き出し操作した場合に回転動力を伝えるクラッチ機構を備えている点にある。
【０００９】
〔作用・効果〕
上記特徴によると、サムターンを中立位置から押し込み操作することでクラッチ機構が回転操作力を伝える状態に達するよう構成したものでは、サムターンを押し込みながら回転操作することで解錠を行え、押し込み操作しない状態ではサムターンを操作しても解錠できない。これと同様にサムターンを中立位置から引き出し操作することでクラッチ機構が回転操作力を伝える状態に達するよう構成したものでは、サムターンを引き出しながら回転操作することで解錠を行え、引き出し操作しない状態ではサムターンを操作しても解錠できない。つまり、本発明では、郵便受け用の開口から針金や棒を挿入してサムターンを回転操作した場合でも不正な開錠を行えないものとなる。従って、サムターンの押し込み操作、又は、引き出し操作といった極めて単純な操作を回転操作との組み合わせで施錠・解錠を行えるものでありながら、不正な解錠を確実に防止し得るサムターンユニットが構成された。
【００１０】
本発明の請求項２に係るサムターンユニットの特徴、作用・効果は次の通りである。
〔特徴〕
請求項１記載のサムターンユニットにおいて、該サムターンユニットが前記サムターンを回転軸芯に沿う方向に移動自在に支持し、かつ、前記クラッチ機構を内蔵したユニット本体を有して成り、前記連係手段が前記デッドボルトの突出と引退との切り換えを行う被回転操作軸を備えて構成され、前記クラッチ機構の反サムターン側の伝動軸を前記被回転操作軸に対して嵌合連結自在な形状に成形してある点にある。
【００１１】
〔作用・効果〕
上記特徴によると、サムターンユニットに対してサムターンと、クラッチ機構と、被回転操作時に対して嵌合連結自在な伝動軸とを備えているので、このサムターンユニットを既存の錠前に備えられたサムターンユニットに代えて錠前に取り付けることで、既存の錠前の全てを交換すること無く、サムターンを用いた不正な解錠を防止できる。その結果、不正な解錠を防止するために必要とする作業を簡便にし、しかも、コストを低く抑えることが可能となる。
【００１２】
本発明の請求項３に係るサムターンユニットの特徴、作用・効果は次の通りである。
〔特徴〕
請求項１又は２記載のサムターンユニットにおいて、前記サムターンが中立位置にある場合には、前記サムターンの回転を阻止し、前記サムターンが前記クラッチ機構の連結位置まで操作された場合には、前記サムターンの回転を許すストッパーを備えている点にある。
【００１３】
〔作用・効果〕
上記特徴によると、サムターンが中立位置にある場合にはストッパーがサムターンの回転を阻止するので、例えば、クラッチ機構がドッグクラッチのように噛み合う位相が決まったものでは、押し込み操作した際や引き出し操作した際に確実にクラッチ機構を連結状態に設定することが可能となる。又、ストッパーを備えないものと比較すると、ストッパーを備えたものは中立位置でサムターンを回転できないのでサムターンを回転させるために押し込み操作や引き出し操作等の操作が必要であることを認識させることも可能となる。その結果、クラッチ機構の連結を迅速確実に行うことや、押し込み等の操作を容易に認識させ得るものとなる。
【００１４】
本発明の請求項４に係るサムターンユニットの特徴、作用・効果は次の通りである。
〔特徴〕
請求項１〜３のいずれか１項に記載のサムターンユニットにおいて、前記サムターンの押し込み操作で前記クラッチ機構を連結状態に設定するよう該サムターンユニットが構成されると共に、前記サムターンと、このサムターンを支持する支持ブロックとの間の空間に挿入してサムターンの押し込み操作を規制する規制状態と、サムターンと支持ブロックとの間の空間から分離する分離状態とに設定変更自在な規制具を備えている点にある。
【００１５】
〔作用・効果〕
上記特徴によると、規制具をサムターンと支持ブロックとの間の空間に配置することにより、サムターンの押し込み操作によるクラッチ機構の連結状態への切り換えを規制し、このサムターンの操作による解錠を阻止するものとなる。又、解錠を行う場合には、この規制具をサムターンと支持ブロックと間の空間から分離することで済む。その結果、就寝時のように比較的長時間に亘りサムターンの操作による解錠の必要がない場合には規制具を使用することで不正な解錠を防止して確実に施錠状態を維持することが可能となった。
【００１６】
本発明の請求項５に係るサムターンユニットの特徴、作用・効果は次の通りである。
〔特徴〕
請求項４記載のサムターンユニットにおいて、前記規制具が、前記サムターンの通過を許す開口を有し、かつ、前記サムターンと支持ブロックとの間の空間に挿入した際に前記クラッチ機構の連結位置への操作を規制する厚みを有するリング状部材と、このリング状部材の開口の中心側に向けて突出付勢された脱落防止片とを備えている点にある。
【００１７】
〔作用・効果〕
上記特徴によると、規制具のリング状部材の開口にサムターン通過させる形態で該規制具をサムターンと支持ブロックとの間の空間に挿入する形態でセットすることにより、サムターンを用いた不正な解錠を阻止できる。又、このセット状態では脱落防止片が突出することによりサムターンに接触して規制具が脱落する不都合を防止し、このセットの後に突出付勢力に抗して脱落防止片を操作することにより規制具の取り外しも実現する。その結果、リング状部材と脱落防止片とを備えると云う比較的簡単な構造により着脱が容易でサムターンを用いた不正な解錠を確実に阻止し得るものとなった。
【００１８】
本発明の請求項６に係るサムターンユニットの規制具の特徴、作用・効果は次の通りである。
〔特徴〕
錠ケースに支持され、かつ、回転操作により前記錠ケースに備えられたデッドボルトの突出と引退との切り換えを行うよう連係手段を介して連係されるサムターンを有すると共に、このサムターンが支持ブロックに対して、中立位置から回転軸芯に沿う方向に押し込み操作自在に支持され、かつ、このサムターンが中立位置にある状態では回転操作力を伝えず、この中立位置から押し込み操作した場合に回転動力を伝えるクラッチ機構を有してサムターンユニットが構成され、前記サムターンが中立位置にある状態で、このサムターンと前記支持ブロックとの間の空間に挿入してサムターンの押し込み操作を規制する規制状態と、サムターン支持ブロックとの間から離間する分離状態とに設定変更自在に構成されている点にある。
【００１９】
〔作用・効果〕
上記特徴によると、サムターンを中立位置から押し込んだ状態で回転操作することで施錠と解錠とを実現するサムターンユニットを錠ケースに備えた場合でも、該規制具をサムターンと支持ブロックとの間の空間に挿入することによってサムターンの押し込み操作によるクラッチ機構の連結状態への切り換えを規制し、このサムターンの操作による解錠を阻止するものとなり、解錠を行う場合には、この規制具をサムターンと支持ブロックと間の空間から分離することで済む。その結果、就寝時のように比較的長時間に亘りサムターンの操作による解錠の必要がない場合には規制具を使用することで不正な解錠を防止して確実に施錠状態を維持する規制具が合理的に構成された。
【００２０】
【発明の実施の形態】
以下、本発明の実施の形態を図面に基づいて説明する。
図１〜図３に示すように、プレス成形された板金材の組み合わせにより箱状に成型された錠ケース１と、この錠ケース１の端面に着脱自在に備えられるフロントプレート２と、この錠ケース１の端面に出退自在に支持したデッドボルト３と、このデッドボルト３と平行して出退自在に支持したラッチボルト４とを備えると共に、錠ケース１の側面にデッドボルト３を出退操作するシリンダユニットＣと、サムターンユニットＴとを備え、更に、錠ケース１の両側面にラッチボルト４を操作するレバーハンドル５を備えて扉用の錠前が構成されている。
【００２１】
この錠前は、扉の内部に埋設し、端面側にフロントプレート２を配置する形態で使用されるものであり、シリンダユニットＣのシリンダバレル３０にキーＫを挿入して回転操作した場合、及び、サムターンユニットＴのサムターン４１を回転操作した場合に前記デッドボルト３を突出位置（施錠状態）と、引退位置（解錠状態）とに切り換え、又、レバーハンドル５を操作した場合にラッチボルト４を引退位置に操作できるよう構成されたものである。
【００２２】
このデッドボルト３の出退操作、及び、ラッチボルト４の操作は従来からの錠前と基本的に変わるものではないが、デッドボルト３の操作系、及び、ラッチボルト４の操作系の一般的な構造を図２のように示すことが可能である。
【００２３】
つまり、錠ケース１の上部位置には両側面に露出し、かつ、軸芯方向に貫通する嵌合孔部１０Ａを形成したデッドボルト軸１０（連係手段・被回転操作軸の一例）を備え、錠ケース１の下部位置には両側面に露出し、かつ、軸芯方向に貫通する嵌合孔部１１Ａを形成したラッチボルト軸１１を備えている。デッドボルト軸１０は一体回転するアーム１２を備え、このデッドボルト軸１０の回転範囲を角度９０度に設定するようアーム１２に接当する一対のストッパー片１３を備えて回動域を規制している。前記デッドボルト３は錠ケース１に対してスライド移動自在に支持されると共に、突出位置と引退位置との２位置に保持されるようトグルバネ１４の付勢力を作用させている。
【００２４】
前記アーム１２の揺動端を前記デッドボルト３の切り欠き部３Ａに係入させ、デッドボルト軸１０の回動操作に伴うアーム１２の作動によりデッドボルト３を突出位置と引退位置とに切り換え作動させる。前記デッドボルト３は突出位置と引退位置との２位置に保持されるので、デッドボルト軸１０は９０度の範囲内で回転し、図２（イ）、（ロ）に示す何れかの回転姿勢に保持される。
【００２５】
前記ラッチボルト軸１１は一体回転するカム１６を備え、このカム１６の突片１６Ａを錠ケース１の内部の規制片１７に接当させて回転限界を設定し、又、カム１６の突片１６Ａと規制片１７とが接当する方向に付勢力を作用させるトーションバネ１８を備えている。前記ラッチボルト４は、軸体１９の端部に備えられ、この軸体１９を錠ケース１に対して出退方向にスライド移動自在に支持し、かつ、常に突出させるよう圧縮コイルバネ２０の付勢力を作用させている。前記カム１６の揺動端を軸体１９に形成した鍔状部１９Ａに接当する位置に配置し、ラッチボルト軸１１を回転操作した場合にラッチボルト４を引退位置まで変位させるよう構成してある。
【００２６】
前記ラッチボルト軸１１の嵌合孔部１１Ａは、軸芯に沿う方向視で正方形に成形され、この嵌合孔部１１Ａに内嵌するよう前記レバーハンドル５のハンドル軸５Ａの断面形状を正方形に成形してある。そして、ハンドル軸５Ａをラッチボルト軸１１の嵌合孔部１１Ａに挿通した状態において、レバーハンドル５が非操作状態にある場合にはラッチボルト４が突出位置に維持され、レバーハンドル５を操作することにより、カム１６が揺動作動してラッチボルト４を引退位置に操作するよう構成されている。
【００２７】
前記シリンダユニットＣとサムターンユニットＴとは、錠ケース１の何れの側壁側にも備え得るよう共通の支持構造を介して着脱自在に支持されている。つまり、図１及び図４に示すように、前記デッドボルト軸１０の軸端部位が露出する錠ケース１の側壁のうち、側面視においてデッドボルト３の上部側と下部側との一部を打ち抜いて一対の係合部２５を形成し、この係合部２５の近傍位置をプレス成形により支持凹部２６を形成し、又、デッドボルト３の出退方向と平行する方向にロックロッド２７の挿入空間を形成している。
【００２８】
前記シリンダユニットＣは、図３に示すように、挿入されたキーＫと一体回転するシリンダバレル３０を収納したシリンダブロック３１と、このシリンダブロック３１の外端部に備えるカバー３２と、シリンダブロック３１の外部に配置されるカラー３３と、カラー３３を扉の外壁面に押し付ける圧縮コイルバネ３４とを有し、支持ブロック３１の内端側には前記シリンダバレル３０と一体的に回転し、かつ、デッドボルト軸１０の嵌合孔部１０Ａに嵌合するテールピース３５を備えている。更に、前記シリンダブロック３１には前記係合部２５と係合する一対の係合片３１Ａを一体形成し、この係合片３１Ａに対して前記ロックロッド２７が挿通する貫通孔３１Ｂを形成している。
【００２９】
前記サムターンユニットＴは、図３〜図６に示すように、支軸４０と一体形成されたサムターン４１と、この支軸４１を回転自在、かつ、軸芯方向にスライド移動自在に支持する支持ブロック４２（ユニット本体の一例）と、この支持ブロック４２に内蔵されたクラッチ機構Ａと、クラッチ機構Ａからの回転力で回転するテールピース４３（伝動軸の一例）と、支持ブロック４２の外端部に備えるカバー４４と、支持ブロック４２の外部に配置されるカラー４５と、カラー４５を扉の外壁面に押し付ける圧縮コイルバネ４６とを有している。更に、支持ブロック４２には前記係合部２５と係合する一対の係合片４２Ａを一体形成し、この係合片４２Ａに対して前記ロックロッド２７が挿通する貫通孔４２Ｂを形成している。
【００３０】
尚、前記デッドボルト軸１０の嵌合孔部１０Ａはの両端側の何れに対しても、シリンダユニットＣのテールピース３５と、サムターンユニットＴのテールピース４３とが嵌合連結できるよう構成されている。
【００３１】
これらの構成から、シリンダユニットＣを錠ケース１に取り付ける場合には、錠ケース１の支持凹部２６に対してシリンダブロック３１を嵌め込み、前記係合部２５に係合片３１Ａを係合させ、テールピース３５をデッドボルト軸１０の嵌合孔部１０Ａに嵌合させた状態で錠ケース１の端部側から挿入したロックロッド２７を、シリンダブロック３１の貫通孔３１Ｂに挿通することになる。又、サムターンユニットＴを錠ケース１に支持する場合には、前記シリンダブロック３１と同様に、錠ケース１の支持凹部２６に対して支持ブロック４２を嵌め込み、前記係合部２５に係合片４２Ａを係合させ、テールピース４３をデッドボルト軸１０の嵌合孔部１０Ａに嵌合させた状態で錠ケース１の端部側から挿入したロックロッド２７を、シリンダブロック４２の貫通孔４２Ｂに挿通することになる。
【００３２】
前記サムターンユニットＴが本発明の第１の特徴部分であり、このサムターンユニットＴは、錠前に含まれる形態で提供されるものであっても、既に扉に備えられている錠前のサムターンと交換するために提供されるものであっても良く、以下に、本発明の第１の特徴部分を詳述する。
【００３３】
つまり、前記クラッチ機構Ａはサムターン４１の支軸４０の端部に形成した複数の爪部４０Ｔと、テールピース４３と一体回転する回転部材４７の端部に形成した複数の爪部４７Ｔとで成り、夫々の爪部４０Ｔ、４７Ｔを対向する位置に配置してドッグクラッチとして構成し、かつ、この爪部４０Ｔ、４７Ｔを互い離間させる方向に付勢する圧縮コイルバネ４８を備えている。前記支軸４０の中間部の全周に溝部Ｇを形成してあり、この溝部Ｇの一部に対して、軸芯に沿う方向視で全周を４分割する位置に係合凹部ＧＳを形成し、この係合凹部ＧＳに係入する一対のストッパーピン４９（ストッパーの一例）を支持ブロック４２の内面側に向けて突出する状態で備えている（図６を参照）。前記テールピース４３と一体回転する回転部材４７は、ピン５０によりテールピース４３と連結され、更に、スナップリング５１により支持ブロック４２に対して支持されている。
【００３４】
この構成により、サムターンユニットＴは、サムターン４１に外力を加えない自然状態では図５（イ）に示す如く、サムターン４１は中立位置Ｎにあり、クラッチ機構Ａの爪部４０Ｔ、４７Ｔも離間状態にある。従って、サムターン４１を回転操作しても、その回転力はデッドボルト軸１０には伝えられない。そして、サムターン４１を中立位置Ｎから図５（ロ）に示す如く、軸芯に沿う方向に押し込んだ状態で回転操作した場合には、クラッチ機構Ａの爪部４０Ｔ、４７Ｔが咬み合う（クラッチ機構Ａが連結する）結果、サムターン４１からの回転力がテールピース４３等を介してデッドボルト軸１０に伝えられ、デッドボルト３の出退操作、即ち、施錠及び解錠を行えるのである。
【００３５】
又、サムターン４１に外力を加えない状態においては（中立位置Ｎでは）、ストッパーピン４９が溝部Ｇの係合凹部ＧＳに係入して回転不能な状態にあり、しかも、サムターン４１を押し込んで回転操作した後には、爪部４０Ｔ、４７Ｔが咬み合う相対姿勢にあるので、この状態からサムターン４１を再び押し込み操作した場合には、爪部４０Ｔ、４７Ｔが即座に咬み合って施錠、解錠を迅速に行えるものとなるのである。
【００３６】
このように本発明のサムターンユニットＴは、押し込み操作を行った場合にのみ（別実施の形態の構造では引き出し操作を行った場合にのみ）サムターン４１の回転力をデッドボルト軸１０からデッドボルト３に伝えて施錠、及び、解錠を実現するので、例えば、扉の一部を悪意で破壊し、破壊した箇所から針金類を挿入してサムターン４１を回転操作できる状況であっても、不正な解錠を行えず施錠状態を確実に維持できるものとなっている。特に、本発明のサムターンユニットＴは、既存の錠前に備えられている従来からのサムターンユニットに代えて取付けることも可能であり、このように取り換えて使用することによって錠前全体を交換するための作業を不要にし、しかも、コスト上昇を招くことなく不正な解錠を防止できるのである。
【００３７】
前述したサムターンユニットＴにおいては、サムターン４１を押し込み操作した場合にのみクラッチ機構Ａを連結状態に設定して施錠と解錠とを実現するものであるが、不正な解錠を確実に阻止する観点から図１、図７、図８に示す規制具Ｓを併用することも可能である。この規制具Ｓが本発明の第２の特徴であり、以下に、本発明の第２の特徴を詳述する。
【００３８】
つまり、規制具Ｓはサムターン４１の通過を許す開口径に設定された開口７０Ａを有し、かつ、サムターン４１の押し込み操作でクラッチ機構Ａが連結状態に達する操作を阻止する厚みＬに設定したリング状部材７０と、このリング状部材７０の周部において対向する位置に形成した一対の張り出し部７０Ｂに支持した脱落防止片ＳＡとを備えている。前記張り出し部７０Ｂはリング状部材７０の内周の一部を切り開いた形状に形成してあり、この張り出し部７０Ｂに対して径方向に向かう姿勢（開口の中心に向かう姿勢）の貫通孔７０Ｃを形成している。
【００３９】
前記脱落防止片ＳＡは内端側に頭部７１を有するロッド７２と、このロッド７２の外端に備えたノブ７３と、頭部７１に対して付勢力を作用させる圧縮コイルバネ７４とを有して成り、ロッド７２を前記貫通孔７０Ｃに対してスライド作動自在に挿通し、このロッド７２をリング状部材７０の開口７０Ａの内方に突出させるよう圧縮バネ７４の付勢力を該ロッド７２の頭部７１に作用させている。
【００４０】
このように構成したことにより、錠前を施錠した後において、前記一対のノブ７３を外方に引き出し操作した状態で、その開口７０Ａにサムターン４１を通過させる状態で該規制具Ｓのリング状部材７０を、サムターン４１と支持ブロック４２との間の空間に挿入し、ノブ７３に対する操作力を解除することで、リング状部材７０Ａがサムターン４１の支軸４１に吊り下げる状態で支持される。この支持状態においては一対の脱落防止片ＳＡを構成するロッド７２の頭部７１同士がサムターン４１の直径より短い距離まで接近する状態となり、この規制具Ｓの脱落を防止する状態となる。この状態において不正な解錠を行う目的でサムターン４１を押し込む力が作用した場合でもクラッチ機構Ａが連結状態に達することがなく、解錠されることはない。そして、このセットの後に規制具Ｓを取り外す場合には、圧縮コイルバネ７４の付勢力に抗して一対のノブ７３を外方に引き操作することにより、サムターン４１に妨げられることなく規制具Ｓを抜き出せるのである。
【００４１】
〔別実施の形態〕
本発明のサムターンユニットは上記実施の形態以外に、例えば、以下のように構成することも可能である（この別実施の形態では前記実施の形態と同じ機能を有するものには、実施の形態と共通の番号、符号を付している）。
【００４２】
図９に示すように、サムターンユニットＴは、端部にサムターン４１を備えた支軸４０を支持ブロック４２に対してブッシュ６０を介して回転自在、かつ、軸芯方向に移動自在に支持し、支持ブロック４２の内部にクラッチ機構Ａを配置し、このクラッチ機構Ａからの回転力が伝えられるテールピース４３を支持ブロック４２の内端側に配置している。前記クラッチ機構Ａは前記支軸４０の内端側に軸部材６１を介して備えたディスク部材６２と、前記テールピース４３と一体回転する筒状部材６３の端部内面のリング部６３Ａとの間に爪部６１Ｔと６３Ｔとを形成することによりドッグクラッチ型に構成し、爪部６１Ｔと６３Ｔと離間させる方向に付勢力を作用させる圧縮コイルバネ６４を支軸４０に備えている。
【００４３】
前記ブッシュ６０はスナップリング６５を介して支持ブロック４２に支持され、前記軸部材６１は直径方向に貫通するピン６６によって支軸４０に固定され、前記筒状部材６３は直径方向に貫通するピン６７によりテールピース４３に連結され、更に、このテールピース４３はスナップリング６８により支持ブロック４２に対して支持されている。
【００４４】
この構成により、この別実施の形態のサムターンユニットＴでは、サムターン４１に外力を加えない自然状態ではサムターン４１が中立位置Ｎにあり、クラッチ機構Ａの爪部６１Ｔ、６３Ｔも離間状態にある。従って、サムターン４１を回転操作しても、その回転力はデッドボルト軸１０には伝えられない。又、サムターン４１を中立位置Ｎから同図に示す矢印の方向に力を作用させて軸芯に沿う方向に引き出した状態で回転操作した場合には、クラッチ機構Ａの爪部６１Ｔ、６３Ｔが咬み合い（クラッチ機構Ａが連結し）サムターン４１からの回転力がテールピース４３等を介してデッドボルト軸１０に伝えられ、デッドボルト３の出退操作、即ち、施錠及び解錠を行えるのである。
【００４５】
この別実施の形態においても、前記実施の形態と同様に不正な解錠を防止できるばかりか、本発明のサムターンユニットＴを、既存の錠前に備えられている従来からのサムターンユニットに代えて取付けることにより、錠前全体を交換する作業を不要にし、しかも、コスト上昇を招くことなく不正な解錠を防止できるのである。
【図面の簡単な説明】
【図１】錠前の分解斜視図
【図２】デッドボルト軸を操作した２状態を示す錠ケースの断面図
【図３】シリンダユニットとサムターンユニットとの配置を示す断面図
【図４】サムターンユニットの分解斜視図
【図５】中立位置と押し込み位置とにサムターンが位置する状態におけるサムターンユニットの断面図
【図６】ストッパーピンと係合凹部との位置関係を示す断面図
【図７】サムターンユニットに規制具を支持した状態を示す一部切り欠き側面図
【図８】ノブの操作状態と非操作状態とにおける規制具を示す一部切り欠き正面図
【図９】別実施の形態のサムターンユニットを示す断面図
【符号の説明】
１              錠ケース
３              デッドボルト
１０            連係手段・被回転操作軸
４１            サムターン
４２            ユニット本体
４９            ストッパー
７０            リング状部材
７０Ａ          開口
Ａ              クラッチ機構
Ｎ              中立位置
Ｓ              規制具
ＳＡ            脱落防止片
Ｔ              サムターンユニット
【図１】
2004204596.tif 000003
【図２】
2004204596.tif 000004
【図３】
2004204596.tif 000005
【図４】
2004204596.tif 000006
【図５】
2004204596.tif 000007
【図６】
2004204596.tif 000008
【図７】
2004204596.tif 000009
【図８】
2004204596.tif 000010
【図９】
2004204596.tif 000011